(57)【特許請求の範囲】
【請求項１】
第１プリント基板と、第１プリント基板を囲むパッキンと、を備える第１筐体と、
第２プリント基板を備える第２筐体と、
第１筐体と第２筐体とを開閉可能に連結する連結部と、
第１プリント基板と第２プリント基板とを接続するフレキシブルケーブルと、
前記フレキシブルケーブルと前記パッキンとが交差する部分において、前記フレキシブルケーブルと前記パッキンとの間であって、且つ前記フレキシブルケーブルと前記パッキンとに対向して配置される防水部材と、を備え、
前記フレキシブルケーブルと前記パッキンとが交差する部分において、前記フレキシブルケーブルの幅方向の端部には、テーパ部が設けられていることを特徴とする電子機器。
【請求項２】
前記防水部材の硬度は、前記パッキンの硬度よりも低い、請求項１に記載の電子機器。
【請求項３】
前記テーパ部は、前記フレキシブルケーブルと前記パッキンとが交差する部分における前記フレキシブルケーブルの幅方向の端部を面取りして形成される、請求項１又は２に記載の電子機器。
【請求項４】
前記テーパ部は、前記フレキシブルケーブルと前記パッキンとが交差する部分における前記フレキシブルケーブルの幅方向の端部に、樹脂をテーパ形状に成形することにより形成される、請求項１又は２に記載の電子機器。
【発明の詳細な説明】
【技術分野】
【０００１】
本発明は、防水機能を備える電子機器に関する。
【背景技術】
【０００２】
携帯電話機などの電子機器は、例えば、雨の日にも屋外で使用されることがあるため、携帯電話機には防水性が求められている。
例えば、開口部を有する筐体と、開口部を通して筐体内の電子回路と他の回路とを電気的に接続するケーブルと、ケーブルが挿通される挿通孔が貫通形成されて開口部に挿入される防水パッキンを備える携帯端末装置が知られている。この携帯端末装置の防水パッキンは、筒状形状であって、筒状形状の外側に第１防水圧入リブを、筒状形状の内側に第２防水圧入リブを有し、第１防水圧入リブと第２防水圧入リブとは挿通孔の軸方向に互いにずれた位置に設けられている（特許文献１）。
【先行技術文献】
【特許文献】
【０００３】
【特許文献１】特開２０１０−４２０２号公報
【発明の概要】
【発明が解決しようとする課題】
【０００４】
上述した従来技術の携帯端末装置の防水パッキンは、構造が複雑となり、製造コストが高くなる。
そこで、従来よりも簡易な構成で高い防水性を備える電子機器を提供することを目的とする。
【課題を解決するための手段】
【０００５】
上記課題を解決するため、開示の電子機器は、第１プリント基板と、第１プリント基板を囲むパッキンと、を備える第１筐体と、第２プリント基板を備える第２筐体と、第１筐体と第２筐体とを開閉可能に連結する連結部と、第１プリント基板と第２プリント基板とを接続するフレキシブルケーブルと、前記フレキシブルケーブルと前記パッキンとが交差する部分において、前記フレキシブルケーブルと前記パッキンとの間であって、且つ前記フレキシブルケーブルと前記パッキンとに対向して配置される防水部材と、を備え、前記フレキシブルケーブルと前記パッキンとが交差する部分において、前記フレキシブルケーブルの幅方向の端部には、テーパ部が設けられていることを特徴とする。
【発明の効果】
【０００６】
開示の技術によれば、従来よりも簡易な構成で高い防水性を備える電子機器を提供することができる。
【図面の簡単な説明】
【０００７】
【図１】（ａ）は、折り畳み式携帯電話機を開いた状態における携帯電話機の構成の一例を示す図であり、（ｂ）は、（ａ）のＡ−Ａ線に沿った断面図であり、（ｃ）は、（ａ）のＢ−Ｂ線に沿った断面図である。
【図２】携帯電話機の内部構造の一例を示す図である。
【図３】（ａ）は、図１（ｃ）にＣと示される部分の拡大図であり、（ｂ）は、図３（ａ）にＤと示される部分の拡大図である。
【図４】変形例のテーパ部を示す図である。
【図５】（ａ）は、比較例において、図１（ｃ）にＣと示される部分の拡大図であり、（ｂ）は、図５（ａ）にＤと示される部分の拡大図である。
【発明を実施するための形態】
【０００８】
以下、電子機器が折り畳み式携帯電話機である場合の例について、実施形態に基づいて説明する。
【０００９】
＜実施形態＞
まず、図１を参照して、本実施形態の携帯電話機の概略構成を説明する。図１（ａ）は、本実施形態の折り畳み式携帯電話機を開いた状態における携帯電話機の構成の一例を示す図である。図１（ｂ）は、図１（ａ）のＡ−Ａ線に沿った断面図である。図１（ｃ）は、図１（ａ）のＢ−Ｂ線に沿った断面図である。
【００１０】
図１（ａ）に示されるように、本実施形態の携帯電話機は、第１筐体１０と、第２筐体４０と、連結部５０と、フレキシブルケーブル６０と、を備える。
第１筐体１０は、例えば、電話番号などを入力するためのキーパッドを備える。図１（ｂ）に示されるように、第１筐体１０は、第１フロントケース１２と、第１リアケース１４と、を備える。また、後述するように、第１筐体１０は、第１プリント基板１６と、パッキン１８と、を備える。
【００１１】
第２筐体４０は、例えば、表示装置を備える。図１（ｂ）に示されるように、第２筐体４０は、第２フロントケース４２と、第２リアケース４４と、を備える。また、後述するように、第２筐体４０は、第２プリント基板４６と、パッキン４８と、を備える。
連結部５０は、第１筐体１０と第２筐体４０とを開閉可能に連結する。連結部５０は、例えば、ヒンジである。
【００１２】
また、図１（ｃ）に示されるように、携帯電話機は、フレキシブルケーブル６０を備える。ここで、図２を参照して、フレキシブルケーブル６０の詳細な構成については説明する。図２は、図１を参照して説明した携帯電話機の内部構造の一例を示す図である。なお、図２は、図１（ａ）に示される携帯電話機を裏側から見た図である。
【００１３】
図２に示されるように、第１筐体１０が備えるパッキン１８は、第１プリント基板１６を囲んでいる。パッキン１８は、例えば、エラストマーである。第１プリント基板１６やパッキン１８は、第１フロントケース１２と第１リアケース１４との間に挟まれている。第１フロントケース１２と第１リアケース１４とを、ねじ等の固定部材で固定することにより、パッキン１８により第１筐体１０が防水性を備える。
また、第２筐体４０が備えるパッキン４８は、第２プリント基板４６を囲んでいる。パッキン４８は、例えば、エラストマーである。第２プリント基板４６やパッキン４８は、第２フロントケース４２と第２リアケース４４との間に挟まれている。第２フロントケース４２と第２リアケース４４とを、ねじ等の固定部材で固定することにより、パッキン４８により第２筐体４０が防水性を備える。
【００１４】
フレキシブルケーブル６０は、第１プリント基板１６と第２プリント基板４６とを接続する。また、第１筐体１０は、フレキシブルケーブル６０とパッキン１８とが交差する部分において、防水部材７０を備える。同様に、第２筐体４０は、フレキシブルケーブル６０とパッキン４８とが交差する部分において、防水部材７０を備える。
防水部材７０の硬度は、パッキン１８，４８の硬度よりも低い。ここで、硬度は、ＪＩＳ  Ｋ  ６２５３に規定されるデュロメータを用いて測定される。防水部材７０は、例えば、アルファゲル（登録商標）である。
【００１５】
ここで、図３を参照して、フレキシブルケーブル６０と防水部材７０との位置関係、及び、フレキシブルケーブル６０の詳細な形状について説明する。図３（ａ）は、図１（ｃ）にＣと示される部分の拡大図である。また、図３（ｂ）は、図３（ａ）にＤと示される部分の拡大図である。
図３（ａ）に示されるように、フレキシブルケーブル６０とパッキン１８とが交差する部分において、防水部材７０は、フレキシブルケーブル６０とパッキン１８との間に配置される。また、フレキシブルケーブル６０とパッキン１８とが交差する部分において、フレキシブルケーブル６０の幅方向の端部には、テーパ部６２が設けられている。図３（ａ）に示される例では、テーパ部６２は、第１リアケース１４に対して４５度の角度を成している。なお、テーパ部６２が第１リアケース１４に対して成す角度（図３（ｂ）にθで示される角度）は、９０度未満の任意の角度とすることができる。
テーパ部６２は、例えば、フレキシブルケーブル６０の幅方向の端部をカッターで面取りすることにより形成される。
【００１６】
図３（ｂ）に示されるように、本実施形態によれば、フレキシブルケーブル６０とパッキン１８とが交差する部分において、フレキシブルケーブル６０の幅方向の端部には、テーパ部６２が設けられている。そのため、第１フロントケース１２と第１リアケース１４により、防水部材７０及びパッキン１８を挟むように固定した際に、フレキシブルケーブル６０と防水部材７０との間に隙間が形成されにくい。また、第１フロントケース１２と第１リアケース１４により、防水部材７０及びパッキン１８を挟むように固定する際の圧力を低減することが可能となり、第１フロントケース１２や第１リアケース１４の変形を抑制することができる。その結果、従来よりも簡易な構成で高い防水性を備えることが可能となる。
【００１７】
なお、以上の説明では、第１筐体１０においてフレキシブルケーブル６０とパッキン１８とが交差する部分におけるテーパ部６２や防水部材７０の構成について説明したが、第２筐体４０においてフレキシブルケーブル６０とパッキン４８とが交差する部分におけるテーパ部６２や防水部材７０の構成も同様である。
【００１８】
また、上述した実施形態では電子機器が折り畳み式携帯電話機である場合について説明したが、開示の技術は防水機能を備える他の電子機器にも適用することができる。
【００１９】
（変形例）
上述した実施形態では、フレキシブルケーブル６０の幅方向の端部をカッターで面取りすることによりテーパ部６２を形成する例について説明したが、テーパ部６２はこれに限定されるものではない。
ここで、図４を参照して、本変形例のテーパ部について説明する。図４は、本変形例のテーパ部を示す図である。図４に示されるように、本変形例では、フレキシブルケーブル６０とパッキン１８とが交差する部分において、フレキシブルケーブル６０の幅方向の端部に紫外線硬化樹脂をテーパ形状に成形することにより、テーパ部６２が形成される。
【００２０】
本変形例においても、上述した実施形態と同様、従来よりも簡易な構成で高い防水性を備えることが可能となる。
【実施例】
【００２１】
上述した実施形態の効果を確認するために、エアリーク試験と、防水部材７０が形成される部分の圧力の測定を行った。
まず、比較例の携帯電話機の構成について説明する。比較例の携帯電話機の概略構成は、上述した実施形態とほぼ同様である。そのため、上述した実施形態と異なる部分について、図５を参照して説明する。図５（ａ）は、比較例において、図１（ｃ）にＣと示される部分の拡大図である。また、図５（ｂ）は、図５（ａ）にＤと示される部分の拡大図である。
【００２２】
図５（ａ）に示されるように、比較例の携帯電話機には、フレキシブルケーブル６０とパッキン１８とが交差する部分において、フレキシブルケーブル６０の幅方向の端部にテーパ部が設けられていない点が、実施形態と異なる。比較例の携帯電話機では、フレキシブルケーブル６０とパッキン１８とが交差する部分において、フレキシブルケーブル６０の断面形状は長方形である。
【００２３】
比較例と実施形態の携帯電話機について、エアリーク試験を行った。具体的には、密閉した空間に携帯電話機を置き、空気圧の測定を行った。携帯電話機の内部に空気が入り込むと、携帯電話機の周囲の空気圧が低下するため、空気圧の変化によりエアリークの有無を検査することができる。
【００２４】
比較例と実施形態の携帯電話機について、エアリーク試験を行った結果、実施形態の携帯電話機の方が比較例の携帯電話機に比べて、エアリークが発生しにくいことが確認された。
これは、比較例の携帯電話機は、実施形態と異なり、フレキシブルケーブル６０とパッキン１８とが交差する部分において、フレキシブルケーブル６０の幅方向の端部にテーパ部が設けられていないため、図５（ｂ）に示されるように、フレキシブルケーブル６０の幅方向の端部と防水部材７０との間に隙間Ｅが形成されやすいためであると考えられる。
【００２５】
また、比較例と実施形態の携帯電話機について、防水部材７０が形成される部分の圧力の測定を行った。その結果、実施形態において、第１フロントケース１２と第１リアケース１４により、防水部材７０及びパッキン１８を挟むように固定する際の圧力は、比較例の圧力の１０分の１程度であった。
【００２６】
以上より、実施形態の携帯電話機は比較例の携帯電話機と比較して、高い防水性を備えることが確認された。
【００２７】
（付記）
なお、本発明は、以下の付記に記載されるように構成することができる。
【００２８】
（付記１）
第１プリント基板と、第１プリント基板を囲むパッキンと、を備える第１筐体と、
第２プリント基板を備える第２筐体と、
第１筐体と第２筐体とを開閉可能に連結する連結部と、
第１プリント基板と第２プリント基板とを接続するフレキシブルケーブルと、
前記フレキシブルケーブルと前記パッキンとが交差する部分において、前記フレキシブルケーブルと前記パッキンとの間に配置される防水部材と、を備え、
前記フレキシブルケーブルと前記パッキンとが交差する部分において、前記フレキシブルケーブルの幅方向の端部には、テーパ部が設けられていることを特徴とする電子機器。
【００２９】
（付記２）
前記防水部材の硬度は、前記パッキンの硬度よりも低い、付記１に記載の電子機器。
【００３０】
（付記３）
前記テーパ部は、前記フレキシブルケーブルと前記パッキンとが交差する部分における前記フレキシブルケーブルの幅方向の端部を面取りして形成される、付記１又は２に記載の電子機器。
【００３１】
（付記４）
前記テーパ部は、前記フレキシブルケーブルと前記パッキンとが交差する部分における前記フレキシブルケーブルの幅方向の端部に、樹脂をテーパ形状に成形することにより形成される、付記１又は２に記載の電子機器。
【符号の説明】
【００３２】
１０  第１筐体
１２  第１フロントケース
１４  第１リアケース
１６  第１プリント基板
１８  パッキン
４０  第２筐体
４２  第２フロントケース
４４  第２リアケース
４６  第２プリント基板
４８  パッキン
５０  連結部
６０  フレキシブルケーブル
６２  テーパ部
７０  防水部材
【図１】
0005503329.tif 000002
【図２】
0005503329.tif 000003
【図３】
0005503329.tif 000004
【図４】
0005503329.tif 000005
【図５】
0005503329.tif 000006